(57)【特許請求の範囲】
【請求項１】
台座部を有し、屋根上に突出した突出体に挟着する構造とした略門形の挟着具と、屋根上物品設置用の長尺フレームが取り付け固定されるフレーム取付具とを備えた屋根上取付具であって、
前記フレーム取付具は、前記挟着具の台座部に載置固定される本体部と、該本体部の上に配された、前記長尺フレームを幅方向の両側より挟持固定する一対の挟持片とを備えた構成とされ、
前記本体部は、板体よりなり、該板体の長手方向の中央部に前記長尺フレームを固定する固定部を有し、該固定部の両側に前記挟持片を取り付ける挟持片取付部を有した形状となっており、
前記挟持片は、前記本体部と略同幅の板体よりなり、少なくとも一方の挟持片が前記挟持片取付部に沿ってスライド自在とされており、前記長尺フレームが固定される、両挟持片の挟持間隙の間隔を調節自在としたことを特徴とする屋根上取付具。
【請求項２】
請求項１において、
前記一対の挟持片の少なくとも一方の挟持片が、前記本体部に対して、スライド長孔と軸孔とによる軸固定機構によりスライドし得る構成となっている屋根上取付具。
【請求項３】
請求項１または２において、
前記一対の挟持片の少なくとも一方の挟持片が、前記長尺フレームの幅方向の端部を前記本体部との間に挟み込む構成となっている屋根上取付具。
【発明の詳細な説明】
【技術分野】
【０００１】
本発明は、屋根上に突出したボルト体やハゼ部等の突出体に挟着して固定される屋根上取付具に関する。
【背景技術】
【０００２】
一般に、折板屋根（角波形屋根）、丸波形屋根等の波形屋根の上面に、例えばテレビアンテナや空調機器、太陽電池パネル、遮熱シート等の屋根上取付物品を、屋根上取付物品取付用の長尺フレームを介して取り付け固定することが実施されている。
【０００３】
従来にはたとえば、屋根上取付物品を屋根上に取り付けるための屋根上取付具として、屋根上に突出した屋根材連結用のボルト体に挟着して固定される挟着具を有した構造のものが提案されている（特許文献１参照）。
【０００４】
具体的には、この屋根上取付具は、略門形に形成した挟着具の両脚片を横方向に貫通する緊締用ボルト、ナットで緊締して、両脚片のそれぞれの下端から対向するように延びた両挟着片をボルト体に挟着させる構造となっている。
【０００５】
また、特許文献１に記載された屋根上取付具おいて、溝形状の長尺フレームは、その溝の底部において、複数の挟着具の台座部にビス止めで固定されるようになっており、併設された屋根上物品設置用の長尺フレームとの間に遮熱シートを張設できるようになっている。
【先行技術文献】
【特許文献】
【０００６】
【特許文献１】特開２０１１−１７４３３３号公報
【発明の概要】
【発明が解決しようとする課題】
【０００７】
しかしながら、上記従来の屋根上取付具による長尺フレームの施工では、現場で長尺フレームの底部にビス孔を開けて挟着具にビス止めしているため、ビス孔開設時の削り粉である金属切粉が長尺フレームの溝内や周辺に飛散し、残留することがあり、そのまま放置することで、雨水等によって切粉が錆びて、錆が周辺の屋根面にも及ぶおそれもあった。
【０００８】
特に、溝内に飛散した切粉は取り除きにくく、切粉が発生しないか、あるいは発生しても取り除きやすい取付構造が望まれていた。
【０００９】
また、挟着具の台座部と、長尺フレームの底部とに予めボルト挿通孔を開設しておき、現場でボルト止めする方法も想定できるが、挟着具間の間隔が一定でないことや誤差が生じることがあることから事前にボルト止めの位置を特定することが困難であった。また、ボルト止めする際のボルト、ナットの螺合作業に時間を要するので、効率のよい施工は望めなかった。
【００１０】
さらにまた、従来のものでは、長尺フレームは複数の屋根上取付具により固定、支持されるようになっているが、それら複数の屋根上取付具の挟着具が長尺フレームの長手方向に沿って直線状に配置されていない場合には、長尺フレームを真っ直ぐに取り付けることはできず、挟着具を再取り付けする必要があった。
【００１１】
本発明は、このような事情を考慮して提案されたもので、その目的は、長尺フレームを挟着具にビス止めによらず簡易、迅速かつ確実に締結固定でき、かつ、長尺フレームを真っ直ぐに固定できるように固定位置を調節できる屋根上取付具を提供することにある。
【課題を解決するための手段】
【００１２】
上記目的を達成するために、請求項１に記載の屋根上取付具は、台座部を有し、屋根上に突出した突出体に挟着する構造とした略門形の挟着具と、屋根上物品設置用の長尺フレームが取り付け固定されるフレーム取付具とを備えた屋根上取付具であって、フレーム取付具は、挟着具の台座部に載置固定される本体部と、本体部の上に配された、長尺フレームを幅方向の両側より挟持固定する一対の挟持片とを備えた構成とされ、本体部は、板体よりなり、該板体の長手方向の中央部に長尺フレームを固定する固定部を有し、該固定部の両側に挟持片を取り付ける挟持片取付部を有した形状となっており、挟持片は、前記本体部と略同幅の板体よりなり、少なくとも一方の挟持片が挟持片取付部に沿ってスライド自在とされており、長尺フレームが固定される、両挟持片の挟持間隙の間隔を調節自在としたことを特徴とする。
【００１３】
請求項２に記載の屋根上取付具は、一対の挟持片の少なくとも一方の挟持片が、本体部に対して、スライド長孔と軸孔とによる軸固定機構によりスライドし得る構成となっている。
【００１４】
請求項３に記載の屋根上取付具は、一対の挟持片の少なくとも一方の挟持片が、長尺フレームの幅方向の端部を前記本体部との間に挟み込む構成となっている。
【発明の効果】
【００１５】
請求項１に記載の屋根上取付具によれば、フレーム取付具の一対の挟持片で長尺フレームを幅方向の両側より挟持固定する構成となっているため、長尺フレームをビス止めによらず簡易、迅速かつ確実に締結固定できる。また、ビス止めの必要がないから、当然にビス止めによる切粉は発生し得ず、切粉による錆の発生のおそれもない。
【００１６】
さらに、一対の挟持片の少なくとも一方の挟持片は、前記幅方向における長尺フレームの固定位置が調節自在とされているため、長尺フレームを固定支持する複数の屋根上取付具の挟着具が長尺フレームの長手方向に沿って直線状に配置されていない場合でも、フレーム取付具の挟持片を調節するだけで、長尺フレームを固定することができる。また、挟持片が調節可能であるため、長尺フレームの幅寸法に対応して挟持間隙の間隔を調節することができる。つまり、１種類の屋根上取付具で種々の幅寸法の長尺フレームに対応することができる。
【００１７】
請求項２に記載の屋根上取付具によれば、一対の挟持片の少なくとも一方の挟持片が、本体部に対して、スライド長孔と軸孔とによる軸固定機構によりスライドし得る構成となっているので、簡易な構成でフレーム取付具を形成することができ、低コストで調節自在な構成とすることができる。
【００１８】
請求項３に記載の屋根上取付具によれば、一対の挟持片の少なくとも一方の挟持片が、長尺フレームの幅方向の端部を本体部との間に挟み込む構成となっているため、両側壁が内側に傾斜した溝形の長尺フレームをより強固に固定することができる。また、側壁を挟持片と本体部とで挟み込んで固定できる構成であるため、長尺フレームの上方への外れを防止できる。
【図面の簡単な説明】
【００１９】
【図１】本発明の一実施形態に係る屋根上取付具の分解斜視図である。
【図２】同屋根上取付具のフレーム取付具の分解斜視図である。
【図３】同屋根上取付具の屋根への取り付け手順を示す正面図である。
【図４】同屋根上取付具の屋根への取り付け状態を示す正面図である。
【図５】同フレーム取付具に対する長尺フレームの取り付け手順を示す屋根上取付具の正面図である。
【図６】同フレーム取付具に対する長尺フレームの取り付け手順を示す屋根上取付具の正面図である。
【図７】長尺フレームの取り付け状態を示す概略正面図である。
【図８】遮熱シートの取り付け状態を示す概略側面図である。
【図９】同屋根上取付具の他の設置態様を示す分解斜視図である。
【図１０】図９に示した屋根に複数の屋根上取付具を設置した場合の設置態様例を示す概略平面図である。
【図１１】本発明の他の実施形態に係る屋根上取付具の正面図である。
【発明を実施するための形態】
【００２０】
以下に、本発明の実施の形態について、添付図面を参照しながら説明する。
【００２１】
図１〜図１０は、本発明の一実施形態に係る屋根上取付具の説明図である。なお、図１において１点鎖線で囲んだ図は挟着具の挟着片先端部の平面図である。また図９、図１０には、図１に示したものと同一の屋根上取付具を異なる屋根に設置した例を示している。
【００２２】
この屋根上取付具Ａが取り付けされる屋根としては、図例（図１等参照）として示した折板屋根Ｙ（角波形屋根）や丸波形屋根が挙げられる。また、屋根の素材としては、金属や合成樹脂、セメント系等のものが適用できる。
【００２３】
この折板屋根Ｙは、山部Ｙ１と谷部Ｙ２が交互に連続する屋根であって、複数の折板屋根材を側端縁の山部Ｙ１の頂部Ｙ１ａで重合し、その重合部でボルト体Ｂ（突出体）とナットＣ１の螺着によって連結した重ね式接合構造となっている。
【００２４】
このナットＣ１は、図例においては、その下方の座金Ｃ２（図例では山座金）と一体的に形成されている。座金Ｃ２は、屋根材のボルト孔から下方への水の浸入を防止するための防水パッキンＣ３を備えている。
【００２５】
また、折板屋根Ｙの裏側には、正面視で折板屋根Ｙと略同形状をなす、ボルト止めのための支持金具Ｙ３が取り付けられている。なお、屋根上取付具Ａを取り付けるためのボルト体Ｂの取付位置は隣接する折板屋根材の重合部に限らず、他の頂部Ｙ１ａに支持金具Ｙ３を用いてボルト体Ｂを取り付けてもよい。
【００２６】
この屋根上取付具Ａは、ボルト体Ｂ等の突出体に挟着する構造とした略門形の挟着具１０と、屋根上取付物品設置用の長尺フレーム１が取り付け固定され得るフレーム取付具２０とを備えている。
【００２７】
なお、本実施形態では長尺フレーム１として溝形状のフレームが用いられる。この長尺フレーム１は、溝開口１ａの幅寸法が底部１ｂの幅寸法よりも小さい、両側壁１ｃが内側に傾斜した形状となっている。
【００２８】
挟着具１０は、金属板または硬質樹脂板よりなり、折板屋根Ｙの頂部Ｙ１ａより上方に突出したボルト体Ｂに挟着して、屋根上に取り付け固定される構造となっている。
【００２９】
より具体的には、挟着具１０の本体は、上方に配するフレーム取付具２０と軸固定するための固定孔１１ｂを有した台座部１１と、その両端から下方に延びた一対の脚片１２、１２と、脚片１２、１２のそれぞれの下端から、先端が相対向するように折曲延出した挟着片１３、１３とが一体的に形成された略門形体により構成されている。
【００３０】
挟着具１０は、対向する両脚片１２、１２に開設された軸孔１２ａ、１２ａに貫通された緊締用ボルト１５と、緊締用ナット１６との螺合によって、両脚片１２、１２を緊締して、両挟着片１３、１３の先端を相互に近接させて、ボルト体Ｂに挟着する構造となっている。
【００３１】
なお図例のものでは、台座部１１には補強用のリブ１１ａが形成され、両脚片１２、１２には補強用のリブ１２ｂ、１２ｂが形成されている。
【００３２】
挟着片１３は対向する方向に上向きに傾斜形成され、その先端部の中央にはボルト体Ｂの軸部Ｂ１を係止するための係止凹所１３ａが形成され、両係止凹所１３ａでボルト体Ｂに挟着するようになっている。この係止凹所１３ａの中央にはボルト体Ｂを係止する係止片１３ｂが切り起こし形成されている。また、先端部における係止凹所１３ａの両側には補強用のリブ１３ｃが形成されている。
【００３３】
一方、フレーム取付具２０は、それを構成する複数の部材が金属または硬質樹脂の板状体よりなり、挟着具１０の台座部１１に載置固定される本体部２１と、本体部２１の上に配された、長尺フレーム１をその幅方向の両側より挟持固定する一対の挟持片２２、２２とを備えた構成となっている。
【００３４】
本体部２１は、中央部が凹んだ折曲板体よりなり、その中央部で下方に突出した固定部２１ａを台座部１１に載置し、固定部２１ａの固定孔２１ａｂと台座部１１の固定孔１１ｂとにリベットＲを挿通してかしめ止めできるようなっている。また、固定部２１ａの両側には、スライド長孔２１ｂａが本体部２１の長手方向に沿って形成された挟持片取付部２１ｂが延出形成されている。なお、固定部２１ａの凹み深さの寸法はリベット止めした際にリベットＲの頭部が挟持片取付部２１ｂの上面よりも突出しない程度の寸法であればよい。
一方、挟持片２２は、本体部２１と略同幅の矩形板体よりなり、軸孔２２ａｂを有した固定片部２２ａと、固定片部２２ａの内側の辺縁より傾斜状に突出した挟持突部２２ｂとを備えている。
【００３５】
挟持片２２、２２のそれぞれは、本体部２１の両挟持片取付部２１ｂ、２１ｂの上に配され、ボルト２３、ナット２４で固定される。そして、固定された両挟持片２２、２２間の間隙（フレーム嵌着部２５）に長尺フレーム１が取り付け固定されるようになっている。
【００３６】
このように、長尺フレーム１は屋根上取付具Ａに固定され、図８に示すように、さらに長尺フレーム１の他の部位が他の屋根上取付具Ａに固定されて、複数の屋根上取付具Ａ、Ａによって支持されるようになっている。
【００３７】
挟着具１０とフレーム取付具２０とよりなる屋根上取付具Ａは、次の手順で折板屋根Ｙの頂部Ｙ１ａに固定される。
【００３８】
まず、挟着具１０の両脚片１２、１２の軸孔１２ａ、１２ａに緊締用ボルト１５の軸部１５ａを貫通させたうえで、緊締用ボルト１５の先端側において緊締用ナット１６により両脚片１２、１２を軽く締めて仮止め状態にし、その状態の挟着具１０を、頂部Ｙ１ａより突出したボルト体Ｂの上方から、両脚片１２、１２の隙間を通じてボルト体Ｂを嵌挿するようにして、頂部Ｙ１ａの上に載せ置く（図３参照）。
【００３９】
つぎに、仮止め状態にしていた緊締用ボルト１５および緊締用ナット１６を締め付けると、この締め付け力によって両脚片１２、１２が互いに近接し、同時に両挟着片１３、１３も互いに近接し、その両挟着片１３、１３の両係止凹所１３ａ、１３ａが、ボルト体Ｂの軸部Ｂ１を挟持し、係止凹所１３ａの側部および底部（係止片１３ｂ）がボルト体Ｂのネジ溝に食い込んで、挟着具１０が折板屋根Ｙに固定される。
【００４０】
なお、挟着具１０の屋根への取り付けの際には、図３、図４に示すように、フレーム取付具２０を台座部１１に固定させておいてもよく、その後の調節がしやすいように、本体部２１と両挟持片２２、２２とを仮止め程度（ボルト２３、ナット２４を緩めた状態）に連結させておけばよい。もちろん、挟着具１０を折板屋根Ｙに固定してから、フレーム取付具２０を台座部１１に取り付けてもよい。
【００４１】
つぎに、フレーム取付具２０に対する長尺フレーム１の取り付け手順および取り付け構造について、図５、図６を参照しながら説明する。
【００４２】
まず、フレーム取付具２０の両挟持片２２、２２を本体部２１のスライド長孔２１ｂａに沿って、外側にスライド移動し、挟持突部２２ｂ、２２ｂ間の間隙（フレーム嵌着部２５）を長尺フレーム１を装着できる程度に広げておく。そして、そのフレーム嵌着部２５に長尺フレーム１を上方より挿入する（図５参照）。
【００４３】
ついで、挟持突部２２ｂ、２２ｂが長尺フレーム１の側壁をしっかりと押圧する程度に両挟持片２２、２２をスライド長孔２１ｂａ、２１ｂａに沿って中央にスライドさせ、その状態で、各挟持片２２、２２を本体部２１に対してボルト２３、ナット２４で固定する（図６参照）。
【００４４】
こうして、長尺フレーム１は屋根上取付具に固定されたフレーム取付具２０に固定される。
【００４５】
長尺フレーム１は、図７に示すように、複数の頂部Ｙ１ａ、Ｙ１ａに固定された複数の屋根上取付具Ａ、Ａに嵌着され、全長にわたって複数の屋根上取付具Ａ、Ａに支持、固定される。
【００４６】
このように、屋根上取付具Ａは、長尺フレーム１をフレーム取付具２０のフレーム嵌着部２５に挟持片２２、２２で挟持された状態で嵌着固定する構造となっているため、長尺フレーム１を挟着具１０にビス止めによらず簡易、迅速かつ確実に締結固定することができる。また、ビス止めの必要がないから、当然にビス止めによる切粉は発生し得ず、切粉による錆の発生のおそれもない。
【００４７】
また、フレーム嵌着部２５は上方が開口しているため、長尺フレーム１をフレーム嵌着部２５に対して上方から装着することができ、そのため取り扱いのしにくい長尺状のフレームを挿入や幅方向からのスライド等によらず取り付けでき、取り付け作業を簡易、迅速に行うことができる。しかも挟持片２２、２２を両側にスライドさせてフレーム嵌着部２５の間隙を十分に広げておけば、上方からの装着の際に圧入するほどの力を加えなくてもよく、作業に労力がかからない。
【００４８】
さらに、本実施形態のフレーム取付具２０は、挟持突部２２ｂが長尺フレーム１の側壁の傾斜面に合致するように傾斜状に形成されているので、長尺フレーム１の幅方向の端部を挟持突部２２ｂ、２２ｂと本体部２１との間に挟み込んで固定することができ、長尺フレーム１の上方への外れを防止することができる。
【００４９】
このように取り付け固定される長尺フレーム１は、相互に略平行となるように複数のものが取り付けられる。つまり、図８に示すように、折板屋根Ｙの頂部Ｙ１ａの形成方向に沿って複数の屋根上取付具Ａ、Ａ、Ａが配設され、それによって複数の長尺フレーム１、１、１が併設され、それらの併設された複数の長尺フレーム１、１、１間に跨るように遮熱シート３が張設される。
【００５０】
遮熱シート３は各長尺フレーム１の溝内に固定され、その上にはフレームカバー２が取り付けられる。
【００５１】
長尺フレーム１に対する遮熱シート３の取り付け構造は、その図示を省略しているが、たとえば、溝内において別部材で遮熱シート３を内底面に押し付け固定する構造としてもよいし、長尺フレーム１の溝開口１ａに対するフレームカバー２の嵌着によって遮熱シート３を固定する構造としてもよく、種々の固定構造を用いることができる。
【００５２】
以上のように、屋根上取付具Ａは、本体部２１と、その上方に取り付ける一対の挟持片２２、２２とにより長尺フレーム１を挟持固定する構造となっているため、溝形状に形成した長尺フレーム１を、その溝開口１ａを上方に突出させ、かつ上方に向けて開放した状態で固定することができる。そのため、溝空間を利用して遮熱シート３を取り付ける場合に、遮熱シート３の長尺フレーム１への固定およびフレームカバー２の装着をしやすくでき、施工を簡易、迅速かつ確実に行うことができる。
【００５３】
また、屋根上取付具Ａは、挟着具１０とは別体のフレーム取付具２０に長尺フレーム１を取り付ける構造であるため、従来使用していた挟着具１０をそのまま使用することができる。
【００５４】
なお、本実施形態では、複数の屋根上取付具Ａの上に長尺フレーム１を介して取り付ける屋根上取付物品の例として遮熱シート３を示したが、その他の屋根上取付物品を取り付ける場合にも適用できる。
【００５５】
また、挟持片２２は長尺フレーム１の幅方向における長尺フレーム１の固定位置が調節自在となっているため、誤差等により長尺フレーム１が挟着具１０の真上に配されない場合でも、挟持片２２の固定位置、つまりフレーム嵌着部２５の形成位置を調節することで、長尺フレーム１を確実に固定することができる。なお、この利点については、図９、図１０に示した別例とともに説明する。
【００５６】
図９は、図１に示した屋根上取付具Ａの他の設置態様を示す分解斜視図である。図１０は、図９に示した屋根に複数の屋根上取付具Ａを設置した場合の設置態様例を示す概略平面図であり、図１０（ａ）は挟着具の取り付け位置を示した図であり、図１０（ｂ）は長尺フレーム１の取り付け状態を示した図である。
【００５７】
図９に示すように、この設置態様は、屋根上取付具Ａの取り付け対象である、屋根上に突出した突出体が図１の例とは異なる。すなわち、この折板屋根Ｙはその頂部Ｙ１ａにおいて２枚の折板屋根材をハゼ接合方式にて連結したものであり、そのハゼ部Ｈに挟着具１０が取り付けられるようになっている。
【００５８】
なお、屋根上取付具Ａを構成する挟着具１０およびフレーム取付具２０の各構成については、図１の例と同様であるため、それらの各部についての説明は省略する。
【００５９】
このように挟着具１０をハゼ部Ｈに取り付ける場合には、ハゼ部Ｈが頂部Ｙ１ａの形成方向に沿って形成されるものであり、よって挟着具１０の取り付け位置の自由度は高いため、図１０（ａ）に示すように、取り付けた複数の挟着具１０、１０、１０は直線状に配列されないことがある。
【００６０】
しかし、フレーム取付具２０の挟持片２２は、本体部２１に対してハゼ部Ｈの形成方向にスライド調節ができる構成となっているため、図１０（ａ）のように挟着具１０の取り付け位置が相互にずれている場合でも、図１０（ｂ）に示すように、挟持片２２の固定位置をずらすことでフレーム嵌着部２５を直線状に配列させることができる。
【００６１】
図１０中の中央の挟着具１０については、左の挟着具１０よりも図中やや下側に取り付けられているので、両挟持片２２、２２を図中やや上側にスライド調節することでフレーム嵌着部２５の形成位置を調節でき、右側の挟着具１０については左の挟着具１０よりも図中やや上側に取り付けられているので、両挟持片２２、２２を図中やや下側にスライド調節することでフレーム嵌着部２５の形成位置を調節できる。
【００６２】
こうした挟持片２２、２２のスライド調節によって、フレーム嵌着部２５が直線状に配列されるので、長尺フレーム１を個々の屋根上取付具Ａ、Ａに無理なく固定することができる。
【００６３】
また、挟持片２２のスライド調節が可能であるため、長尺フレーム１の幅寸法に対応してフレーム嵌着部２５（挟持間隙）の間隔を調節することができる。つまり、１種類の屋根上取付具Ａで種々の幅寸法の長尺フレーム１に対応することができる。
【００６４】
つぎに、本発明の他の実施形態に係る屋根上取付具について、図１１を参照しながら説明する。
【００６５】
この屋根上取付具Ａは、図１に示したものとくらべると、フレーム取付具２０の形状、構造が異なる。なお、挟着具１０、長尺フレーム１および屋根については図１のものと同様であるため、それらの各部については図１と同一の符号を付して、その説明は省略する。
【００６６】
フレーム取付具２０は、本体部２１と、一対の挟持片２２、２２とよりなるが、一方の挟持片２２（挟持突部２２ｂ）は本体部２１と一体に形成されており、他方の挟持片２２は別体で形成され、ボルト２３、、ナット２４で本体部２１に固定できるようになっている。この別体の挟持片２２は、図１のものと同様、本体部２１の挟持片取付部２１ｂに開設されたスライド長孔２１ｂａと、軸孔２２ａｂとによる軸固定機構によりスライドし得るようになっている。
【００６７】
このものは、一方の挟持片２２の位置だけが挟着具１０の取り付け位置によらず可変とされるので、種々の幅寸法の長尺フレーム１を固定する場合に有効である。
【００６８】
以上に説明した実施形態では、本体部２１にスライド長孔２１ｂａ、挟持片２２に軸孔２２ａｂを設けた軸固定機構を例示したが、本体部２１に軸孔、挟持片２２にスライド長孔を設けた構成であってもよい。また、挟持片２２の調節機構はスライド長孔と軸孔とによる軸固定機構によるものに限られず、他の調節機構であってもよい。
【００６９】
また、以上に説明した２種の実施形態では、フレーム取付具２０の挟着具１０に対する相対取り付け位置が同じものを示したが、フレーム取付具２０は挟着具１０に対して種々の位置に取り付けてもよい。たとえば、挟着具１０の両脚片１２、１２の配列方向にフレーム取付具２０の長手方向を合わせるように、フレーム取付具２０を固定してもよい。
【符号の説明】
【００７０】
１      長尺フレーム
Ａ      屋根上取付具
１０      挟着具
１１      台座部
１２      脚片
１３      挟着片
２０      フレーム取付具
２１      本体部
２１ａ      固定部
２１ａｂ      固定孔
２１ｂ      挟持片取付部
２１ｂａ      スライド長孔
２２      挟持片
２２ａ      固定片部
２２ａｂ      軸孔
２２ｂ      挟持突部
２３      ボルト
２４      ナット
２５      フレーム嵌着部
Ｙ      折板屋根
Ｙ１      山部
Ｙ１ａ      頂部
Ｂ      ボルト体（突出体）
Ｃ１      ナット
Ｈ      ハゼ部（突出体）
【図１】
0005703242.tif 000002
【図２】
0005703242.tif 000003
【図３】
0005703242.tif 000004
【図４】
0005703242.tif 000005
【図５】
0005703242.tif 000006
【図６】
0005703242.tif 000007
【図７】
0005703242.tif 000008
【図８】
0005703242.tif 000009
【図９】
0005703242.tif 000010
【図１０】
0005703242.tif 000011
【図１１】
0005703242.tif 000012